(57)【要約】【課題】小型化を図ることができるジャックコネクタを提供する。【解決手段】前側から後側に向かって挿入されるプラグコネクタを収納可能な収納空間１ｂが形成されるとともに、プラグコネクタに弾接可能な弾接部３ａを有する複数の導電端子３が下側ハウジング１１の内外を連通するように下側ハウジング１１に保持されている。さらに、上側カバー１２の前端部から下側に一体に延設されて下側ハウジング１１の前側に取り付けられるキャップ部１３を有し、複数の導電端子３の第１導電端子３１にはプラグコネクタに弾接可能な第１弾接部３１ａが前側開放部１１ａの前側に突出して延設されている。また、キャップ部１３は、プラグコネクタの挿入用開口部１ａを備えるとともに、第１弾接部３１ａを前後方向に挿通可能とする収容部１ｃが挿入用開口部１ａに連続して設けられている。【選択図】図２
2015232980.tif 000002
【特許請求の範囲】
【請求項１】
前側に前側開放部を有するとともに上側に上側開放部を有する下側ハウジングと、前記上側開放部を塞ぐように前記下側ハウジングの上側に取り付けられる上側カバーと、を備え、前側から後側に向かって挿入されるプラグコネクタを収納可能な収納空間が形成されるとともに、前記プラグコネクタに弾接可能な弾接部を有する複数の導電端子が前記下側ハウジングの内外を連通するように前記下側ハウジングに保持されたジャックコネクタであって、
前記上側カバーの前端部から下側に一体に延設されて前記下側ハウジングの前側に取り付けられるキャップ部を有し、
前記複数の導電端子の第１導電端子には前記プラグコネクタに弾接可能な第１弾接部が前記前側開放部の前側に突出して延設され、
前記キャップ部は、前記プラグコネクタの挿入用開口部を備えるとともに、前記第１弾接部を前後方向に挿通可能とする収容部が前記挿入用開口部に連続して設けられていることを特徴とするジャックコネクタ。
【請求項２】
前記複数の導電端子には前記収納空間で前記プラグコネクタに弾接可能な第２弾接部を有する第２導電端子が設けられており、
前記上側カバーとは別体であって前記下側ハウジングの上側から前記下側ハウジング内部に組付可能なインナー部材が設けられ、前記第２弾接部の後側に配置され前記プラグコネクタをガイド可能な後側ガイド部が前記インナー部材に設けられたことを特徴とする請求項１に記載のジャックコネクタ。
【請求項３】
前記第２弾接部の前側に配置され、前記挿入用開口部から前記収納空間に挿入される前記プラグコネクタをガイド可能な前側ガイド部を備えることを特徴とする請求項２に記載のジャックコネクタ。
【請求項４】
前記下側ハウジングは、前記上側開放部を形成する一対の側壁部の上端部にそれぞれ前後方向に沿って延びるハウジング側平滑面を備えるとともに、
前記上側カバーは、前記一対の側壁部の上端部に対応する位置に前後方向に沿って延びるカバー側平滑面を備え、
前記上側カバーは、前記一対の側壁部の内側に摺接可能な位置に前後方向に沿って延びる一対の被ガイド部を備え、前記上側カバーを前側から後側にスライドさせて前記下側ハウジングに組み付けたことを特徴とする請求項１乃至請求項３のいずれかに記載のジャックコネクタ。
【発明の詳細な説明】
【技術分野】
【０００１】
本発明は、プラグコネクタとの電気的接続を行う小型のジャックコネクタに関する。
【背景技術】
【０００２】
挿入されたプラグとの電気的接続を行うコネクタとしてのジャックが開示されている（例えば特許文献１）。
【０００３】
図９は、特許文献１に記載のジャック１００の分解斜視図である。
【０００４】
図９に示すように、取り付け部１０２ｂは、ケース１１０に形成された取り付け部１１０ｂと、カバー部材１１１に形成された取り付け部１１１ｂとに分かれて、ケース１１０にカバー部材１１１を取り付けて一体化される。図９に示すように、キャップ部材１１２には、Ｘ２方向に突出する突出部１１２ｃが設けられている。ケース１１０は突出部１１２ｃが収納できる形状に設けられている。キャップ部材１１２の後部の上方側（Ｚ２側）は、キャップ部材１１２がケース１１０の前方側（Ｘ１側）に装着されたときに、第１の面１１０ｅと連なる同一平面を構成する。キャップ部材１１２の後部およびケース１１０にカバー部材１１１が被せられ、カバー部材１１１をキャップ部材１１２の後部に溶着している。このとき、図９に示すように、カバー部材１１１は、Ｚ１方向に突出する凸部１１１ｇを有している。キャップ部材１１２がケース１１０に装着された状態において、カバー部材１１１の凸部１１１ｇがキャップ部材１１２に挿入できるように、切り欠き状の挿入部１１２ｇが設けられている。
【０００５】
これらの構成により、キャップ部材１１２をしっかりと固定することができる。
【先行技術文献】
【特許文献】
【０００６】
【特許文献１】登録実用新案第３１８００３１号公報
【発明の概要】
【発明が解決しようとする課題】
【０００７】
しかしながら、このようなジャックコネクタを取り付ける機器の軽量化や薄型化の進展とともに、ジャックコネクタに対して、より小型化することが要求されている。従来のジャック１００では、キャップ部材１１２をケース１１０およびカバー部材１１１に固定するための取り付け構造が必要となり、径方向の大型化を来たしてしまう、という問題があった。
【０００８】
本発明は、上述した課題を解決するもので、小型化を図ることができるジャックコネクタを提供することを目的とする。
【課題を解決するための手段】
【０００９】
本発明のジャックコネクタは、前側に前側開放部を有するとともに上側に上側開放部を有する下側ハウジングと、前記上側開放部を塞ぐように前記下側ハウジングの上側に取り付けられる上側カバーと、を備え、前側から後側に向かって挿入されるプラグコネクタを収納可能な収納空間が形成されるとともに、前記プラグコネクタに弾接可能な弾接部を有する複数の導電端子が前記下側ハウジングの内外を連通するように前記下側ハウジングに保持されたジャックコネクタであって、前記上側カバーの前端部から下側に一体に延設されて前記下側ハウジングの前側に取り付けられるキャップ部を有し、前記複数の導電端子の第１導電端子には前記プラグコネクタに弾接可能な第１弾接部が前記前側開放部の前側に突出して延設され、前記キャップ部は、前記プラグコネクタの挿入用開口部を備えるとともに、前記第１弾接部を前後方向に挿通可能とする収容部が前記挿入用開口部に連続して設けられていることを特徴とする。
【００１０】
この構成によれば、キャップ部が上側カバーに一体に延設されているので、キャップ部をしっかりと固定することができるとともに小型化を図ることができる。なお、上側カバーとキャップ部の一体部品を下側ハウジングの前側から後側にスライドさせて組み立てれば第１導電端子とキャップ部を干渉させないようにすることができる。
【００１１】
また、本発明のジャックコネクタにおいて、前記複数の導電端子には前記収納空間で前記プラグコネクタに弾接可能な第２弾接部を有する第２導電端子が設けられており、前記上側カバーとは別体であって前記下側ハウジングの上側から前記下側ハウジング内部に組付可能なインナー部材が設けられ、前記第２弾接部の後側に配置され前記プラグコネクタをガイド可能な後側ガイド部が前記インナー部材に設けられたことを特徴とする。
【００１２】
この構成によれば、インナー部材が後側ガイド部を有しているので、プラグコネクタのガイドを行うことができるとともに、第２弾接部の保護をより適切に行うことができる。なお、後側ガイド部を上側カバーと一体に形成すると、上側カバーを下側ハウジングの前側から後側にスライドさせて組み立てる場合に後側ガイド部が第２弾接部に干渉してしまうが、インナー部材は上側カバーと別体であって上側から組付可能なので、後側ガイド部と第２弾接部の干渉を防止することができる。
【００１３】
また、本発明のジャックコネクタにおいて、前記複数の導電端子の第２導電端子は前記収納空間で前記プラグコネクタに弾接可能な第２弾接部を有し、前記第２弾接部の前側に配置され、前記挿入用開口部から前記収納空間に挿入される前記プラグコネクタをガイド可能な前側ガイド部を備えることを特徴とする。
【００１４】
この構成によれば、前側ガイド部を備えているので、プラグコネクタのガイドを行うことができるとともに、第２弾接部の保護をより適切に行うことができる。
【００１５】
また、本発明のジャックコネクタにおいて、前記下側ハウジングは、前記上側開放部を形成する一対の側壁部の上端部にそれぞれ前後方向に沿って延びるハウジング側平滑面を備えるとともに、前記上側カバーは、前記一対の側壁部の上端部に対応する位置に前後方向に沿って延びるカバー側平滑面を備え、前記上側カバーは、前記一対の側壁部の内側に摺接可能な位置に前後方向に沿って延びる一対の被ガイド部を備え、前記上側カバーを前側から後側にスライドさせて前記下側ハウジングに組み付けたことを特徴とする。
【００１６】
この構成によれば、上側カバーとキャップ部の一体部品を下側ハウジングの前側から後側にスライドさせて組み立てることができる。
【発明の効果】
【００１７】
本発明によれば、キャップ部をしっかりと固定することができるとともに小型化を図ることができるジャックコネクタを提供することができる。
【図面の簡単な説明】
【００１８】
【図１】本発明の実施形態のジャックコネクタを示す斜視図である。
【図２】本発明の実施形態のジャックコネクタを示す分解斜視図である。
【図３】本発明の実施形態のジャックコネクタを示す平面図である。
【図４】図３のＩＶ−ＩＶ線で切断した断面図である。
【図５】図３のＶ−Ｖ線で切断した断面図である。
【図６】本発明の実施形態のジャックコネクタを基材に取り付けた説明図である。
【図７】上側カバーとキャップ部の一体部品を示す斜視図である。
【図８】インナー部材を示す斜視図である。
【図９】従来のジャックの分解斜視図である。
【発明を実施するための形態】
【００１９】
以下、本発明の実施の形態について図面を用いて詳細に説明する。なお、分かりやすいように、図面は寸法を適宜変更している。
【００２０】
図１は、本発明の実施形態のジャックコネクタ１を示す斜視図である。図２は、本発明の実施形態のジャックコネクタ１を示す分解斜視図である。図３は、本発明の実施形態のジャックコネクタ１を示す平面図である。図４は、図３のＩＶ−ＩＶ線で切断した断面図である。図５は、図３のＶ−Ｖ線で切断した断面図である。図６は、本発明の実施形態のジャックコネクタ１を基材６０に取り付けた説明図である。図７は、上側カバーとキャップ部の一体部品を示す斜視図である。図８は、インナー部材を示す斜視図である。
【００２１】
本発明の実施形態のジャックコネクタ１は、図１〜図５に示すように、プラグコネクタが挿入される挿入用開口部１ａを有するケース部１０と、ケース部１０の内外を連通するようにケース部１０に保持される導電端子３と、補強部材４０とを備えている。ジャックコネクタ１は、図６に示すように基材６０に固定されて、図示しない電子機器に装着される。
【００２２】
なお、以下の説明においては、図１のＺ１側を上側、Ｚ２側を下側、Ｘ１側を左側、Ｘ２側を右側、Ｙ１側を前側、Ｙ２側を後側として記載している。これは説明を分かりやすくするためであり、ジャックコネクタ１の使用時の方向を限定するものではない。
【００２３】
ケース部１０は、絶縁性の合成樹脂で形成されている。ケース部１０は、図２に示すように、前側および上側に前側開放部１１ａおよび上側開放部１１ｂを有する下側ハウジング１１と、下側ハウジング１１の上側に取り付けられる上側カバー１２とから構成される。ケース部１０は、底部１１ｆと底部１１ｆの両側部から立設される一対の側壁部１１ｃ、１１ｄと一対の側壁部１１ｃ、１１ｄの上側に位置する天井部１５と天井部１５から延設されたキャップ部１３とからなり、キャップ部１３にプラグコネクタが挿入される挿入用開口部１ａを有する。ケース部１０の内部には、挿入用開口部１ａの前側から後側に向かって挿入されるプラグコネクタを収納可能な収納空間１ｂが形成される。
【００２４】
下側ハウジング１１は、光吸収材料により形成されている。例えば、黒色に着色されたナイロン樹脂を使用することができる。ナイロン樹脂は、適度な加熱で成形することができ、また、ナイロン樹脂は着色用の顔料を多く含有している場合は光吸収性を有している。下側ハウジング１１は、上側開放部１１ｂを形成する一対の側壁部１１ｃ、１１ｄの上端部にそれぞれ前後方向に沿って延びるハウジング側平滑面１１ｅを備えている。さらに、下側ハウジング１１には、導電端子３が取り付けられている。
【００２５】
導電端子３は導電性の金属で形成され、ケース部１０（下側ハウジング１１）の内外を貫通している。より具体的には、導電端子３は、インサート成形によって下側ハウジング１１に一体化されている。なお、複数の導電端子３には、例えば、燐青銅を使用することができる。また、インサート成形に限定されず、例えば圧入や接着剤等によって一体化させてもよい。
【００２６】
複数の導電端子３のうち、第１導電端子３１はプラグコネクタの接続端子（図示しない）に弾接可能な第１弾接部３１ａが前側開放部１１ａの前側に突出して延設されている。複数の導電端子３のうち、第２導電端子３２は収納空間１ｂでプラグコネクタに弾接可能な第２弾接部３２ａを有し、第２弾接部３２ａが挿入用開口部１ａからケース部１０の内部に続く収納空間１ｂに露出するように設けられている。同様に、第３導電端子３３は第３弾接部３３ａを有している。さらに、第４導電端子３４は第４弾接部３４ａを有している。
【００２７】
下側ハウジング１１の上側に取り付けられる上側カバー１２は、レーザ光を透過可能な光透過材料により形成されている。例えば、乳白色のナイロン樹脂を使用することができる。ナイロン樹脂は、適度な加熱で成形することができ、また、顔料を含有していない場合には乳白色で透光性を有している。上側カバー１２は、下側ハウジング１１のハウジング側平滑面１１ｅに当接するカバー側平滑面１２ｅを備えている。カバー側平滑面１２ｅは、一対の側壁部１１ｃ、１１ｄの上端部に対応する位置に前後方向に沿って延びている。カバー側平滑面１２ｅは、上側カバー１２の上側の面からの板厚が一定に形成されている。上側（Ｚ１側）からレーザ光を照射することによって、上側カバー１２のカバー側平滑面１２ｅに当接した下側ハウジング１１のハウジング側平滑面１１ｅを加熱して、カバー側平滑面１２ｅとハウジング側平滑面１１ｅとを溶着させることができる。
【００２８】
上側カバー１２は、前端部から下側に一体に延設されて下側ハウジング１１の前側に取り付けられるキャップ部１３を有している。この構成によれば、図７に示すように、キャップ部１３が上側カバー１２に一体に延設された一体部品であるので、キャップ部１３をしっかりと固定することができるとともに小型化を図ることができる。さらに、上側カバー１２は、一対の側壁部１１ｃ、１１ｄの内側に摺接可能な位置に前後方向に沿って延びる一対の被ガイド部１２ｃ、１２ｄを備えている。
【００２９】
上側カバー１２の天井部１５は、図２に示すように、収納空間１ｂの中心部に対応する位置に上側へ突出して形成された突出部１５ａを有するとともに、突出部１５ａの周囲に突出部１５ａよりも上下方向の寸法が小さく設定される段差部１５ｂを有している。天井部１５は、図４および図５に示すように、収納空間１ｂにおいて突出部１５ａに対応する位置に上側に向かって凹んで形成される凹部１５ｃを有している。
【００３０】
収納空間１ｂは、図４および図５に示すように、凹部１５ｃによって上側に拡げられている。この収納空間１ｂには、上側カバー１２とは別体であって、下側ハウジング１１の上側から下側ハウジング１１内部に組付可能なインナー部材２０が配置されている。
【００３１】
インナー部材２０は、絶縁性の合成樹脂で形成されている。例えば、上側カバー１２と同じように、乳白色のナイロン樹脂を使用することができる。インナー部材２０は、図５および図８に示すように、第２弾接部３２ａの前側に配置された前側ガイド部２１と、第２弾接部３２ａの後側に配置された後側ガイド部２２とを有している。
【００３２】
補強部材４０は、金属板の打ち抜き加工と折り曲げ加工によって、ケース部１０を囲むように形成されている。補強部材４０は、上側カバー１２の天井部１５の突出部１５ａに対応する位置に切抜部４０ａを有するとともに、切抜部４０ａの周囲に環状部４０ｂが形成されている。
【００３３】
補強部材４０の環状部４０ｂは、図５に示すように、天井部１５の突出部１５ａの周囲で段差部１５ｂに当接可能な押さえ部４５になっている。補強部材４０は、図２に示すように、押さえ部４５の両側部から下側に延設される一対の側板部４６、４７と、一対の側板部４６、４７の下端にそれぞれ延設される取り付け部４８、４９とを備えている。
【００３４】
補強部材４０は、図６に示すように、基材６０に固定される。本実施形態のジャックコネクタ１は、ケース部１０の外方に露出した複数の導電端子３が、基材６０に半田付けされて実装される。本実施形態では、補強部材４０の取り付け部４８、４９が基材６０に半田付け可能な形状であり、導電端子３と同時に基材６０に半田付けされる。
【００３５】
複数の導電端子３のうち、第１導電端子３１にはプラグコネクタに弾接可能な第１弾接部３１ａが前側開放部１１ａの前側に突出して延設されている。一方、キャップ部１３は、プラグコネクタの挿入用開口部１ａを備えるとともに、第１弾接部３１ａを前後方向に挿通可能とする収容部１ｃが挿入用開口部１ａに連続して設けられている。
【００３６】
インナー部材２０の前側ガイド部２１および後側ガイド部２２によって、挿入用開口部１ａから収納空間１ｂに挿入されるプラグコネクタをガイド可能としている。さらに、プラグコネクタが挿入されたときに、第２弾接部３２ａに余分な荷重が加えられることを防ぎ、第２弾接部３２ａの保護を行うことができる。
【００３７】
上側カバー１２は、一対の側壁部１１ｃ、１１ｄの内側に摺接可能な位置に前後方向に沿って延びる一対の被ガイド部１２ｃ、１２ｄを備えている。これにより、上側カバー１２を前側から後側にスライド可能となっている。これにより、上側カバー１２とキャップ部１３の一体部品を下側ハウジング１１の前側から後側にスライドさせて組み立てる場合に第１導電端子３１とキャップ部１３を干渉させないようにすることができる。また、プラグコネクタの接続端子を介した他の導電端子とのショートを防止することもできる。
【００３８】
以下、本実施形態としたことによる効果について説明する。
【００３９】
本実施形態のジャックコネクタ１は、前側に前側開放部１１ａを有するとともに上側に上側開放部１１ｂを有する下側ハウジング１１と、上側開放部１１ｂを塞ぐように下側ハウジング１１の上側に取り付けられる上側カバー１２と、を備える。そして、前側から後側に向かって挿入されるプラグコネクタを収納可能な収納空間１ｂが形成されるとともに、プラグコネクタに弾接可能な弾接部３ａを有する複数の導電端子３が下側ハウジング１１の内外を連通するように下側ハウジング１１に保持されている。さらに、上側カバー１２の前端部から下側に一体に延設されて下側ハウジング１１の前側に取り付けられるキャップ部１３を有し、複数の導電端子３の第１導電端子３１にはプラグコネクタに弾接可能な第１弾接部３１ａが前側開放部１１ａの前側に突出して延設されている。また、キャップ部１３は、プラグコネクタの挿入用開口部１ａを備えるとともに、第１弾接部３１ａを前後方向に挿通可能とする収容部１ｃが挿入用開口部１ａに連続して設けられている。
【００４０】
この構成によれば、キャップ部１３が上側カバー１２に一体に延設されているので、キャップ部１３をしっかりと固定することができるとともに小型化を図ることができる。なお、上側カバー１２とキャップ部１３の一体部品を下側ハウジング１１の前側から後側にスライドさせて組み立てる場合に第１導電端子３１とキャップ部１３を干渉させないようにすることができる。
【００４１】
また、本実施形態のジャックコネクタ１において、複数の導電端子３には収納空間１ｂでプラグコネクタに弾接可能な第２弾接部３２ａを有する第２導電端子３２が設けられている。そして、本実施形態のジャックコネクタ１は、上側カバー１２とは別体であって下側ハウジング１１の上側から下側ハウジング１１内部に組付可能なインナー部材２０が設けられ、第２弾接部３２ａの後側に配置されプラグコネクタをガイド可能な後側ガイド部２２がインナー部材２０に設けられている。
【００４２】
この構成によれば、インナー部材２０が後側ガイド部２２を有しているので、プラグコネクタのガイドを行うことができるとともに、第２弾接部３２ａの保護をより適切に行うことができる。なお、後側ガイド部２２を上側カバー１２と一体に形成すると、上側カバー１２の組付時に後側ガイド部２２が第２弾接部３２ａに干渉してしまうが、インナー部材２０は上側カバー１２と別体であって上側から組付可能なので、後側ガイド部２２と第２弾接部３２ａの干渉を防止することができる。
【００４３】
また、本実施形態のジャックコネクタ１は、第２弾接部３２ａの前側に配置され、挿入用開口部１ａから収納空間１ｂに挿入されるプラグコネクタをガイド可能な前側ガイド部２１を備えている。
【００４４】
この構成によれば、前側ガイド部２１を備えているので、プラグコネクタのガイドを行うことができるとともに、第２弾接部３２ａの保護をより適切に行うことができる。なお、前側ガイド部２１は上側カバー１２に形成してもよいが、この場合でも下側ハウジング１１の前側から後側にスライドさせて組み付け可能であることが好ましい。
【００４５】
また、本実施形態のジャックコネクタ１において、下側ハウジング１１は、上側開放部１１ｂを形成する一対の側壁部１１ｃ、１１ｄの上端部にそれぞれ前後方向に沿って延びるハウジング側平滑面１１ｅを備える。そして、上側カバー１２は、一対の側壁部１１ｃ、１１ｄの上端部に対応する位置に前後方向に沿って延びるカバー側平滑面１２ｅを備えている。さらに、上側カバー１２は、一対の側壁部１１ｃ、１１ｄの内側に摺接可能な位置に前後方向に沿って延びる一対の被ガイド部１２ｃ、１２ｄを備え、上側カバー１２を前側から後側にスライド可能となっている。
【００４６】
この構成によれば、上側カバー１２とキャップ部１３の一体部品を下側ハウジング１１の前側から後側にスライドさせて組み立てることができる。
【符号の説明】
【００４７】
１      ジャックコネクタ
１ａ    挿入用開口部
１ｂ    収納空間
１ｃ    収容部
３      導電端子
３ａ    弾接部
１０    ケース部
１１    下側ハウジング
１１ａ  前側開放部
１１ｂ  上側開放部
１１ｃ、１１ｄ  側壁部
１１ｅ  ハウジング側平滑面
１１ｆ  底部
１２    上側カバー
１２ｃ、１２ｄ  被ガイド部
１２ｅ  カバー側平滑面
１３    キャップ部
１５    天井部
１５ａ  突出部
１５ｂ  段差部
１５ｃ  凹部
２０    インナー部材
２１    前側ガイド部
２２    後側ガイド部
３１    第１導電端子
３１ａ  第１弾接部
３２    第２導電端子
３２ａ  第２弾接部
３３    第３導電端子
３３ａ  第３弾接部
３４    第４導電端子
３４ａ  第４弾接部
４０    補強部材
４０ａ  切抜部
４０ｂ  環状部
４５    押さえ部
４６、４７  側板部
４８、４９  取り付け部
６０    基材
【図１】
2015232980.tif 000003
【図２】
2015232980.tif 000004
【図３】
2015232980.tif 000005
【図４】
2015232980.tif 000006
【図５】
2015232980.tif 000007
【図６】
2015232980.tif 000008
【図７】
2015232980.tif 000009
【図８】
2015232980.tif 000010
【図９】
2015232980.tif 000011